(57)【特許請求の範囲】
【請求項１】
吐水部材と、
前記吐水部材と組み合わされて組立体を構成する前記吐水部材のカバーと、
前記組立体が取り付けられ、前記吐水部材から吐水される水を受けて便器洗浄タンクに排水する手洗器と、を備え、
前記吐水部材は、下向きの吐水口を有する吐水部を有し、
前記カバーは、前記カバーの内側と、前記カバーの外側であって前記カバーの下方とを連通する開口部を有し、
前記吐水部は、下側に突出し、前記開口部に進入しており、
前記カバーは、一体成形品であり、前記組立体が前記手洗器に取り付けられた状態において前記吐水部材のうちの前記吐水部と前記手洗器に取り付けられる部分とを除いた部分を覆うことを特徴とする手洗装置。
【請求項２】
前記開口部は、前記吐水部に対応する形状を有することを特徴とする請求項１に記載の手洗装置。
【請求項３】
前記吐水部の下面と前記カバーの下面とが面一であるまたは前記吐水部の下面が前記カバーの下面よりも上側に位置するよう構成されることを特徴とする請求項２に記載の手洗装置。
【請求項４】
前記カバーに対する前記吐水部材の実質的な平行移動を規制する係合構造を備え、
前記吐水部材と前記カバーとは、前記カバーに対する前記吐水部材の回転移動を規制するための係合部を有することを特徴とする請求項２または３に記載の手洗装置。
【請求項５】
前記カバーの係合部は、前記カバーの下側部分に設けられる前記吐水部材に向けて突出する突出部であることを特徴とする請求項４に記載の手洗装置。
【請求項６】
便器と、
前記便器を洗浄するための洗浄水を貯水する便器洗浄タンクと、
前記便器洗浄タンクに排水する請求項１から５のいずれかに記載の手洗装置と、を備えることを特徴とする便器装置。
【発明の詳細な説明】
【技術分野】
【０００１】
本発明は、手洗装置および手洗装置を備える便器装置に関する。
【背景技術】
【０００２】
手洗装置が搭載された便器装置が知られている。手洗装置は、通常、水を吐水する吐水部材と、吐水された水を受けて便器洗浄タンクに排水する手洗器と、を備える。
【０００３】
特許文献１には、便器装置の手洗装置ではないが、水栓に用いられる装置が開示されている。この装置では、吐水部材と、それを覆う吐水部材とは別体のカバーと、を備える。
【先行技術文献】
【特許文献】
【０００４】
【特許文献１】特開２００１−１４６７７５号公報
【発明の概要】
【発明が解決しようとする課題】
【０００５】
特許文献１に記載されるような装置では、吐水部材とそれを覆うカバーとを別体としているため、カバーを取り替えることで、種々の意匠の装置を容易に実現できる。しかしながら、この装置では、吐水部材とカバーとをそれぞれ別々に固定しているため、取り付け作業が繁雑になりうる。
【０００６】
本発明はこうした状況に鑑みてなされたものであり、その目的は、取り付け作業の作業性を向上できる手洗装置を提供することにある。
【課題を解決するための手段】
【０００７】
上記課題を解決するために、本発明のある態様の手洗装置は、吐水部材と、吐水部材と組み合わされて組立体を構成する吐水部材のカバーと、組立体が取り付けられ、吐水部材から吐水される水を受けて便器洗浄タンクに排水する手洗器と、を備える。吐水部材は、下向きの吐水口を有する吐水部を有する。カバーは、カバーの内側と、カバーの外側であってカバーの下方とを連通する開口部を有する。吐水部は、下側に突出し、開口部に進入している。
【０００８】
なお、以上の構成要素の任意の組み合わせや、本発明の構成要素や表現を方法、装置、システムなどの間で相互に置換したものもまた、本発明の態様として有効である。
【発明の効果】
【０００９】
本発明によれば、取り付け作業の作業性を向上できる手洗装置を提供できる。
【図面の簡単な説明】
【００１０】
【図１】実施の形態に係る手洗装置が用いられる便器装置を示す斜視図である。
【図２】図１の便器装置の給水系の一部を模式的に示す構成図である。
【図３】図１の手洗装置の断面図である。
【図４】吐水部材とカバーとの組立体とその周辺を示す断面図である。
【図５】図４のＡ−Ａ線断面図である。
【図６】吐水部材とカバーとの組立体とその周辺を下側から見た斜視図である。
【図７】吐水部材とカバーとを組み合わせる様子を示す図である。
【図８】吐水部材とカバーとを組み合わせる様子を示す図である。
【図９】吐水部材とカバーとを組み合わせる様子を示す図である。
【図１０】吐水部材とカバーとの組立体を示す図である。
【発明を実施するための形態】
【００１１】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
図１は、実施の形態に係る手洗装置１０が用いられる便器装置１２を示す斜視図である。便器装置１２は、便器１４と、ケーシング１６と、便器洗浄タンク（以下、単にタンクという）１８と、手洗装置１０と、を備える。タンク１８は、便器１４の便鉢（不図示）の洗浄に利用する洗浄水を貯水する。ケーシング１６は、タンク１８等を収容する。タンク１８およびケーシング１６は、便器１４に載置される。手洗装置１０は、いわゆる水栓装置であり、ケーシング１６の上端の開口１６ａを塞ぐようケーシング１６に取り付けられる。
【００１３】
図２は、便器装置１２の給水系の一部を模式的に示す構成図である。便器装置１２は、タンク給水路２０と、分岐給水路２２と、ボールタップ２４と、を備える。手洗装置１０は、吐水部材３４を備える。吐水部材３４は、手洗いのための水を吐水する。
【００１４】
タンク給水路２０は、タンク１８に給水するための水路である。タンク給水路２０にはボールタップ２４が設置される。ボールタップ２４は、タンク１８内の水位に連動してタンク給水路２０を開閉する。タンク１８内の洗浄水が所定水位を下回るとボールタップ２４が開弁し、タンク給水路２０の下流端部２０ａからタンク１８内に給水される。タンク１８内の洗浄水が所定水位以上になるとボールタップ２４が閉弁し、タンク給水路２０からタンク１８内への給水が停止する。
【００１５】
分岐給水路２２は、タンク給水路２０から分岐する流路であって、吐水部材３４に給水するための水路である。分岐給水路２２は、ボールタップ２４の下流側においてタンク給水路２０から分岐している。したがって、分岐給水路２２から吐水部材３４への給水およびその停止も、タンク１８の水位に連動して切り替えられる。
【００１６】
図３は、手洗装置１０の断面図である。図３は、吐水部材３４と給水管２８とを通る鉛直断面を示す。手洗装置１０は、手洗器２６と、給水管２８と、カバー３６と、をさらに備える。給水管２８は、前述の分岐給水路２２の一部を構成する。給水管２８は、手洗器２６の後壁部２６ｄ（後述）の後ろ側に配置される。
【００１７】
手洗器２６は、合成樹脂、セラミックス等により形成される。手洗器２６は、鉢部２６ａと、外周壁部２６ｂと、を含む。外周壁部２６ｂは、鉢部２６ａを外周側から囲むよう鉢部２６ａの上端縁部から下方に延びる。
【００１８】
鉢部２６ａは、吐水部材３４から吐水される水を受ける。鉢部２６ａは、その後壁部２６ｄがその前壁部２６ｅより上側に延びるよう形成される。鉢部２６ａの後壁部２６ｄの上部には組立体３０（後述）が取り付けられる取付部２６ｆが設けられる。鉢部２６ａの底面部には排水口２６ｃが形成されている。鉢部２６ａが受けた水は、この鉢部２６ａを介してタンク１８（図３では不図示）に排水される。
【００１９】
図４は、吐水部材３４とカバー３６との組立体３０とその周辺を示す断面図である。図５は、図４のＡ−Ａ線断面図である。図６は、吐水部材３４とカバー３６との組立体３０とその周辺を下側から見た斜視図である。手洗装置１０は、２つのねじ４０をさらに備える。
【００２０】
給水管２８は、その先端に雄側接続筒部２８ａを有する。給水管２８は、後壁部２６ｄの取付部２６ｆに設けられた挿通孔２６ｇに雄側接続筒部２８ａが挿通された状態で、後壁部２６ｄにねじ３２により取り付けられる。
【００２１】
カバー３６は、樹脂材料から射出成形により形成される。吐水部材３４の大部分を覆い隠すための部材である。本実施の形態では、カバー３６は、吐水部４８（後述）を除いた部分を覆っている。吐水部材３４とカバー３６とは、手洗器２６に取り付けられる前に、組み合わされて組立体３０を構成する。
【００２２】
組立体３０は、クリップ等の留め具３８により吐水部材３４が給水管２８に固定されることにより、給水管２８に対して固定される。給水管２８は、上述のように手洗器２６（特にその後壁部２６ｄ）に取り付けられる。したがって、組立体３０は、給水管２８を介して手洗器２６に取り付けられる。
【００２３】
吐水部材３４は、筒状の雌側接続筒部３４ａと、雌側接続筒部３４ａより左右に幅広の平たい箱状の本体部３４ｂと、を有する。雌側接続筒部３４ａには、その一端側から給水管２８の雄側接続筒部２８ａが差し込まれる。吐水部材３４の雌側接続筒部３４ａと給水管２８の雄側接続筒部２８ａとの間は、給水管２８の雄側接続筒部２８ａの外周面に装着されるシール部材４２によりシールされる。雌側接続筒部３４ａの他端側は、本体部３４ｂと接続されている。
【００２４】
本体部３４ｂの外周壁３４ｃには流入口３４ｄが設けられる。本体部３４ｂの内部と雌側接続筒部３４ａとは、この流入口３４ｄを通じて連通する。本体部３４ｂの底板部３４ｅは、下流側（すなわち雌側接続筒部３４ａから遠い側）に吐水部４８を有する。吐水部４８は、下向きにシャワー状の水を吐水する部分であり、吐水部４８を上下に貫通する複数の吐水口５０を有する。吐水口５０が形成されている部分が吐水部４８であるともいえる。給水管２８から雌側接続筒部３４ａを介して本体部３４ｂに流れ込んだ水は、吐水孔５０から吐水される。
【００２５】
吐水部４８は、底板部３４ｅの他の部分よりも肉厚で底板部３４ｅの他の部分よりも下側に突出している。カバー３６には、吐水部４８に対応する形状の開口部３６ａが設けられている。吐水部４８は、この開口部３６ａに嵌まっている。吐水部４８は特に、その下面４８ａとカバー３６の下面３６ｂとが実質的に面一となっている。また、吐水部４８は、カバー３６と直接接触しないよう構成されている。つまり、吐水部４８とカバー３６との間には隙間が設けられている。
【００２６】
２つのねじ４０は、吐水部材３４の取付部３４ｆを貫通してカバー３６の取付部３６ｄに形成されるねじ孔（不図示）に螺合されることによって、吐水部材３４をカバー３６に取り付ける。これにより、カバー３６に対する吐水部材３４の実質的な平行移動が規制される。つまり、ねじ４０と、吐水部材３４の取付部３４ｆと、カバー３６の取付部３６ｄとは、カバー３６に対する吐水部材３４の実質的な平行移動を規制する係合構造として機能する。
【００２７】
カバー３６は、吐水部４８より後方側に第１突出部３６ｅを有する。第１突出部３６ｅは、カバー３６の下側部分３６ｉの上面３６ｊから吐水部材３４に向けて上側に突出する。吐水部材３４は、この第１突出部３６ｅに当接する当接部３４ｇを有する。第２当接部３４ｇは、カバー３６の第１突出部３６ｅに後方側から当接する。言い換えると、第２当接部３４ｇは、カバー３６の第１突出部３６ｅに、ねじ４０を螺号する方向に当接する。
【００２８】
続いて、吐水部材３４とカバー３６とを組み合わせて組立体３０を構成する手順について説明する。図７〜図９は、吐水部材３４とカバー３６とを組み合わせる様子を示す図である。
【００２９】
カバー３６に吐水部材３４を差し込む（図７）。奥まで差し込むと、吐水部材３４の先端部３４ｉがカバー３６の上側部分３６ｆの下面３６ｇに当接する（図８）。上側部分３６ｆの下面３６ｇは、前方ほど下に下がっている。したがって、吐水部材３４をさらに差し込むと、吐水部材３４の先端部３４ｉが上側部分３６ｆの下面３６ｇに沿って下方に下がる。これにより、吐水部材３４の先端側が下方に下がり、その結果、吐水部材３４の吐水部４８がカバー３６の開口部３６ａに嵌る。次いで、２つのねじ４０（図７〜９では不図示）により、吐水部材３４をカバー３６に取り付ける。このようにして、組立体３０が構成される。
【００３０】
以上説明した本実施の形態に係る手洗装置１０によると、吐水部材３４とカバー３６とは組立体３０を構成する。したがって、吐水部材３４とカバー３６とをひとつの部材（組立体３０）として手洗器２６に取り付けることができる。詳しくは、留め具３８により吐水部材３４を給水管２８に固定することにより、組立体３０が給水管２８を介して手洗器２６に取り付けられる。これにより、吐水部材３４とカバー３６とを別々に手洗器２６に取り付ける場合と比べて、取り付け作業の作業性が向上する。
【００３１】
また、本実施の形態に係る手洗装置１０によると、吐水部材３４と、カバー３６とは別体として形成される。したがって、カバー３６を取り替えることで、種々の意匠の手洗装置１０を容易に実現できる。また、吐水部材３４と別体であるため、カバー３６をメッキする場合も、特にマスキングせずに金属を溶かした溶液にカバー３６を漬けることができる。つまり、組立体３０を容易にメッキできる。
【００３２】
また、本実施の形態に係る手洗装置１０によると、吐水部４８の下面４８ａとカバー３６の下面３６ｂとが面一となっている。そのため、吐水部４８の下面４８ａを拭き掃除等しやすい。つまり、本実施の形態に係る手洗装置１０によると、吐水部４８の清掃性が向上する。
【００３３】
また、本実施の形態に係る手洗装置１０では、吐水部材３４をカバー３６に差し込んだあとにねじ４０を螺合することにより、吐水部材３４とカバー３６とが組み合わされた組立体３０が構成される。ここで、吐水部材３４の吐水部４８の下面４８ａは、カバー３６に覆われずに露出しているため、利用者の手で上向きに押されるなど外力が加わりうる。３つ以上のねじを用いて吐水部材３４をカバー３６に取り付ければ、吐水部４８の下面４８ａが押された場合のカバー３６に対する吐水部材３４の実質的な平行移動と回転移動とを規制できる。しかしながら、ねじの数が増えるほど、手洗装置１０としての部品点数が増え、また取り付け作業が繁雑になる。
【００３４】
本実施の形態に係る手洗装置１０では、２つのねじ４０で吐水部材３４をカバー３６に取り付けている。この場合、吐水部４８の下面４８ａが上向きに押されると、２つのねじ４０による係合部分を通る軸を中心に（本実施の形態では左右方向に延びる軸を中心）に、カバー３６に対して吐水部材３４が回転移動するおそれがある。詳しくは、図４の矢印Ｄ１の方向に回転移動するおそれがある。これに対し、本実施の形態に係る手洗装置１０では、吐水部４８よりも後方側に位置するカバー３６の第１突出部３６ｅに、その後方側から吐水部材３４の当接部３４ｇが当接する。これにより、矢印Ｄ１の方向の吐水部材３４の回転移動が規制される。つまり、本実施の形態に係る手洗装置１０によると、吐水部材３４をカバー３６に取り付けるためのねじ４０の数を２つに抑えつつも、吐水部材３４の平行移動に加えて吐水部材３４の回転移動を抑止できる。
【００３５】
また、第１突出部３６ｅの存在は、射出成形でカバー３６を形成する際にひけを生じる原因となりうる。これに対し、本実施の形態に係る手洗装置１０では、第１突出部３６ｅはカバー３６の下側部分３６ｉに設けられる。したがって、仮に第１突出部３６ｅの周辺のカバー３６の部分にひけが生じても、便器装置１２の利用者から視認されにくい。つまり、本実施の形態に係る手洗装置１０によれば、意匠性に優れた手洗装置を実現できる。
【００３６】
また、本実施の形態に係る手洗装置１０では、吐水部４８とカバー３６との間には隙間が設けられている。これにより、吐水部４８からの水がカバー３６に伝わりにくくなり、カバーに水垢が付きにくくなる。
【００３７】
以上、実施の形態に係る手洗装置について説明した。この実施の形態は例示であり、その各構成要素の組み合わせにいろいろな変形例が可能なこと、またそうした変形例も本発明の範囲にあることは当業者に理解されるところである。
【００３８】
（変形例１）
２つのねじ４０と、吐水部材３４の取付部３４ｆと、カバー３６の取付部３６ｄとが、カバー３６に対する吐水部材３４の実質的な平行移動を規制する係合構造として機能する場合について説明したが、これに限られない。例えば、吐水部材３４とカバー３６はそれぞれ、スナップフィット方式により互いに係合する係合部を有してもよい。この場合、吐水部材３４の係合部とカバー３６の係合部とが係合構造として機能する。
【００３９】
（変形例２）
実施の形態では特に言及しなかったが、吐水部材３４とカバー３６とは、前後方向に延びる軸を中心に、カバー３６に対して吐水部材３４が回転移動するのを規制するための構造を有していてもよい。
【００４０】
図１０は、組立体３０を示す図である。図１０では、組立体３０を後方から見た状態を示している。吐水部材３４は、上側に突出する第２突出部３４ｈを有する。カバー３６は、上向きに凹んだ凹部３６ｈを有する。本変形例では、凹部３６ｈは、上側部分３６ｆの下面３６ｇから下向きに突出する２つの突出部の間の隙間として形成されている。なお、凹部３６ｈは、上側部分３６ｆの下面３６ｇに形成される溝であってもよい。カバー３６の凹部３６ｈには、吐水部材３４の第２突出部３４ｈが嵌る。これにより、前後方向に延びる軸を中心に、矢印Ｄ２の方向に回転移動するのが抑止される。この場合、ねじ４０の数を１つにしてもよい。
【００４１】
（変形例３）
実施の形態では、吐水部４８の下面４８ａとカバー３６の下面３６ｂとが実質的に面一となっている場合について説明したが、これに限られず、吐水部４８は、吐水部４８の下面４８ａがカバー３６の下面３６ｂよりも上側に位置するよう構成されてもよい。この場合、仮に製造誤差が吐水部材３４（特にその吐水部４８）やカバー３６に製造誤差があっても、吐水部４８がカバー３６の下面３６ｂよりも下側に突出するのが抑止される。
【００４２】
以上の記載から、下記の発明が認識される。
本発明のある態様の手洗装置は、吐水部材と、吐水部材と組み合わされて組立体を構成する吐水部材のカバーと、組立体が取り付けられ、吐水部材から吐水される水を受けて便器洗浄タンクに排水する手洗器と、を備える。吐水部材は、下向きの吐水口を有する吐水部を有する。カバーは、カバーの内側と、カバーの外側であってカバーの下方とを連通する開口部を有する。吐水部は、下側に突出し、開口部に進入している。この態様によると、吐水部材とそのカバーとは組立体を構成する。そのため、吐水部材とカバーとをひとつの部材（組立体）として手洗器に取り付けることができ、吐水部材とカバーとを別々に手洗器に取り付ける場合と比べて、取り付け作業の作業性が向上する。
【００４３】
開口部は、吐水部に対応する形状を有してもよい。
【００４４】
吐水部の下面とカバーの下面とが面一であるまたは吐水部の下面がカバーの下面よりも上側に位置するよう構成されてもよい。この場合、吐水部の清掃性が向上する。
【００４５】
カバーに対する吐水部材の実質的な平行移動を規制する係合構造を備えてもよい。吐水部材とカバーとは、カバーに対する吐水部材の回転移動を規制するための係合部を有してもよい。例えば、係合構造がねじによる係合の場合、回転移動を規制する係合部がない場合と比べてねじの本数を少なくできる。
【００４６】
カバーの係合部は、カバーの下側部分に設けられる吐水部材に向けて突出する突出部であってもよい。
【００４７】
本発明の別の態様は、便器装置である。この装置は、便器と、便器を洗浄するための洗浄水を貯水する便器洗浄タンクと、便器洗浄タンクに排水する手洗装置と、を備えてもよい。
【符号の説明】
【００４８】
１０  手洗装置、  １２  便器装置、  １８  タンク、  ３０  組立体、  ３４  吐水部材、  ３６  カバー。
【図１】
0006769710.tif 000002
【図２】
0006769710.tif 000003
【図３】
0006769710.tif 000004
【図４】
0006769710.tif 000005
【図５】
0006769710.tif 000006
【図６】
0006769710.tif 000007
【図７】
0006769710.tif 000008
【図８】
0006769710.tif 000009
【図９】
0006769710.tif 000010
【図１０】
0006769710.tif 000011